(57)【要約】【課題】  画像表示装置における表示画面の特定の位置に検査画像が表示されたか否かを検査する画面検査装置において、表示画面のサイズが異なっても、画像センサーの取付位置をその都度調整することなく、検査の効率を向上させた画面検査装置を提供すること。【解決手段】  画面サイズセンサーｓ１、ｓ２、ｓ３の検出に基づいて、画像センサーｇｓの検出位置と検査画像ａの表示位置とが重合するように検査映像信号を切り換える検査映像信号切換手段を設け、画像表示装置の表示画面ｍ１、ｍ２、ｍ３のサイズが異なっても、画像センサーｇｓの取付位置をその都度調整することなく検査を行う。【選択図】図１
2006214849.tif 000002
【特許請求の範囲】
【請求項１】
画像表示装置における表示画面の特定の位置に検査画像が表示されたか否かを検査する画面検査装置であって、
前記検査画像が表示可能な検査映像信号を出力する検査映像出力手段と、
前記検査画像が表示されたか否かを定位置で検出する画像センサーと、
前記表示画面のサイズを検出する画面サイズセンサーと
前記画面サイズセンサーの検出に基づいて、前記画像センサーの検出位置と前記検査画像の表示位置とが重合するように、前記検査映像信号を切り換える検査映像信号切換手段と
を有していることを特徴とする画面検査装置。
【請求項２】
前記画面サイズセンサーは、前記表示画面のサイズ毎に検出可能に複数個設けられていることを特徴とする請求項１記載の画面検査装置。
【請求項３】
画像表示装置における表示画面の特定の位置に検査画像が表示されたか否かを定位置に設けた画像センサーで検査する画面検査方法であって、
前記表示画面のサイズを画面サイズセンサーで検出する画面サイズ検出行程と、
前記画面サイズセンサーの検出に基づいて、画像センサーの検出位置と前記検査画像の表示位置とが重合するように、前記検査画像を表示させる検査映像信号を切り換える検査映像信号切換行程と
を有していることを特徴とする画面検査方法。
【請求項４】
前記画面サイズセンサーは、前記表示画面のサイズ毎に検出可能に複数個設けられていることを特徴とする請求項３記載の画面検査方法。
【発明の詳細な説明】
【技術分野】
【０００１】
本発明は、液晶テレビやブラウン管テレビ、あるいはコンピュータディスプレイ等の画像表示装置における表示画面の特定の位置に、入力された検査画像が正常に表示されるか否かを検査するための画面検査装置及び画面検査方法に関する。
【背景技術】
【０００２】
液晶テレビやブラウン管テレビ、あるいはコンピュータディスプレイ等の画像表示装置は、その表示画面の製造過程において、いくつかの検査を行っている。
例えば、液晶パネルの場合、表示画面である液晶パネルの画面の全面を点灯させて、目視によりディスプレイ画面の欠陥の有無を検査している（例えば特許文献１参照）
【０００３】
この他に、表示画面の特定の位置に、検査画像が正常に表示されるか否かを、定位置に設けた画像センサーで検査する場合もある。この検査は、例えば、左右や上下の反転表示機能を備えている画像表示装置の機能チェックとして特に有効な検査である。
【０００４】
この検査を詳述すると、定位置に設けた画像センサーと対峙するように画像表示装置の表示画面を位置させ、次いで、画像センサーの検出位置と一致するように予め固定された検査映像信号を画像表示装置に送信し、表示画面の特定の位置に検査画像が表示されたか否かを画像センサーで検出している。
【０００５】
より具体的には、画像表示装置をコンベア等に載置して搬送させ、検出ステーションに画像表示装置が位置したら、画像表示装置の移動をストッパ等で一旦停止させ、製造ラインの機枠等に設けた画像センサーで、表示画面の特定の位置に検査画像が正常に表示されるか否かを検査している。
【特許文献１】特開平１０−３２５７８０号公報（第２頁、図１）
【発明の開示】
【発明が解決しようとする課題】
【０００６】
しかしながら、後者に挙げた画面検査は、下記の問題点があった。
すなわち、従来の画面検査装置は、画像センサーの検出位置と一致するように予め固定された検査映像信号を画像表示装置に送信しているため、その条件から外れた場合、つまり、表示画面のサイズが異なると、表示画面のサイズに比例して検査画像の位置がずれてしまう。そこで、従来は、画像センサーの取付位置を表示画面のサイズ毎に調整しており、段取りに手間が生じていた。
【０００７】
そこで本発明は、表示画面のサイズが異なっても、画像センサーの取付位置をその都度調整することなく、検査の効率を向上させた画面検査装置及び画面検査方法を提供することを目的とする。
【課題を解決するための手段】
【０００８】
上記技術課題を達成するために、本発明にかかる画面検査装置及び画面検査方法は、下記の技術的手段を講じた。
すなわち、請求項１にかかる画面検査装置は、画像表示装置における表示画面の特定の位置に検査画像が表示されたか否かを検査する画面検査装置であって、前記検査画像が表示可能な検査映像信号を出力する検査映像出力手段と、前記検査画像が表示されたか否かを定位置で検出する画像センサーと、前記表示画面のサイズを検出する画面サイズセンサーと、前記画面サイズセンサーの検出に基づいて、前記画像センサーの検出位置と前記検査画像の表示位置とが重合するように、前記検査映像信号を切り換える検査映像信号切換手段とを有していることを特徴とする。
請求項２にかかる画面検査装置は、請求項１において、前記画面サイズセンサーは、前記表示画面のサイズ毎に検出可能に複数個設けられていることを特徴とする。
請求項３にかかる画面検査方法は、画像表示装置における表示画面の特定の位置に検査画像が表示されたか否かを定位置に設けた画像センサーで検査する画面検査方法であって、前記表示画面のサイズを画面サイズセンサーで検出する画面サイズ検出行程と、前記画面サイズセンサーの検出に基づいて、画像センサーの検出位置と前記検査画像の表示位置とが重合するように、前記検査画像を表示させる検査映像信号を切り換える検査映像信号切換行程とを有していることを特徴とする。
請求項４にかかる画面検査方法は、請求項３において、前記画面サイズセンサーは、前記表示画面のサイズ毎に検出可能に複数個設けられていることを特徴とする。
【発明の効果】
【０００９】
本発明によれば、画面サイズセンサーの検出に基づいて、画像センサーの検出位置と検査画像の表示位置とが重合するように検査映像信号を切り換える検査映像信号切換手段を有したことにより、画像表示装置の表示画面サイズが異なっても、画像センサーの取付位置をその都度調整することなく、検査を行うことができる。
【発明を実施するための最良の形態】
【００１０】
次に、本発明を実施するための最良の形態を、図面を参照して具体的に説明する。
【００１１】
本実施の形態にかかる画面検査装置は、画像センサーｇｓと、画面サイズセンサーｓ１…と、検査映像出力手段２と、検査映像信号切換手段とを備えてなる。
【００１２】
画像センサーｇｓは、被検査体である画像表示装置を搬送させると共に検出ステーションに搬送された画像表示装置をストッパ５で一旦停止可能に構成された搬送装置（図示せず）に固定された、あるいは、その搬送装置近傍に固定された小型画像センサカメラであり、コンピュータ４に接続されたインターフェース３にカメラケーブル３１を介して接続されている。
【００１３】
この画像センサーｇｓは、被検査体のうち最小の被検査体である表示画面ｍ１のサイズにおいて、後述する検査映像信号で表示画面ｍ１に表示される検査画像ａの位置と画像センサーｇｓの検出位置とが重合するような、所要の位置に固定されている。
なお、ストッパ５は、シリンダなどで進退可能に構成されており、搬送された画像表示装置に当接させて検出ステーションで停止させたり、搬送を再開させるものである。
【００１４】
画面サイズセンサーｓ１…は、発光素子と受光素子を対向配置した一対の分離型フォトインタラプタ、あるいは、反射型フォトインタラプタであり、サイズの異なる表示画面ｍ１…を検出するように複数個設けられ、夫々の画面サイズセンサーｓ１…は、センサケーブルを介してインターフェース１に接続されている。
【００１５】
この画面サイズセンサーｓ１…は、例えば、図１に示すように、画像表示装置の表示画面ｍ１…の中央水平方向に夫々の表示画面ｍ１…の縁部で物体の有無を検出するように三つの画面サイズセンサーｓ１、ｓ２、ｓ３からなる。
【００１６】
すなわち、例えば、搬送方向上流側にストッパ５を設け、そのストッパ５から下流側に向かって、被検査体のうち最小の被検査体である表示画面ｍ１（画像表示装置の）が検出できるように所要の間隔をおいて一つ目の画面サイズセンサーｓ１を固設し、次の大きさの被検査体である表示画面ｍ２が検出できるようにさらに所要の間隔をおいて二つ目の画面サイズセンサーｓ２を固設し、さらに次の大きさの被検査体である表示画面ｍ３が検出できるように所要の間隔をおいて三つ目の画面サイズセンサーｓ３を固設している。
【００１７】
このように配設された画面サイズセンサーｓ１…は、検出ステーションに搬送された画像表示装置の有無を検出すると同時に、検出した画面サイズセンサーｓ１…に応じて表示画面ｍ１…のサイズが検出できるようになっている。
【００１８】
検査映像出力手段２は、ビデオ信号やＲＧＢアナログ信号等を出力する信号発生器で、検査映像信号送信用ケーブル２１を介して画像表示装置に接続されると共に、インターフェース１と接続されており、表示画面ｍ１…の特定の位置に任意の検査画像ａが表示される検査映像信号が出力されるようになっている。
【００１９】
この検査映像信号は、画像センサーｇｓの検出位置と検査画像ａの表示位置とが重合するように、本実施の形態では３種類あり、さらに、この検査映像出力手段２は、検出した画面サイズセンサーｓ１…に基づいて最適な検査映像信号に切り換えるようになっている（検査映像信号切換手段）。
【００２０】
なお、本実施の形態では、信号発生器自体に検査映像信号切換手段を設けているが、このものに限らず、インターフェース１と信号発生器の双方をコンピュータ４に接続し、コンピュータ４に組み込まれた制御プログラムに基づいて、検出した画面サイズセンサーｓ１…に応じた検査映像信号を信号発生器に出力するように制御命令を送信しても良い。
【００２１】
次に、以上のように構成された画面検査装置の一連の動作を説明する。なお、説明の便宜上、被検査体のうち最小の被検査体である表示画面ｍ１のサイズを１５インチ（デフォルト）とし、次いで１７インチの表示画面ｍ２、最大の表示画面ｍ３のサイズを１９インチとし、１５インチの表示画面ｍ１の検査から他のサイズの検査に移行するものとして説明を進める。
【００２２】
まず、１５インチの表示画面ｍ１を有した画像表示装置を搬送装置に載置して搬送する。検出ステーションに画像表示装置が位置したら、画像表示装置の移動をストッパ５で一旦停止する。
【００２３】
検出ステーションに停止したら、画面サイズセンサーｓ１…による画面サイズの検出が即座に始まる。このとき、一つ目の画面サイズセンサーｓ１のみが表示画面ｍ１の縁部を検出して、センサケーブル、インターフェース１等を介して検査映像出力手段２である信号発生器に検出信号を送信する。
【００２４】
検査映像出力手段２は、一つ目の画面サイズセンサーｓ１のみの検出であることからデフォルトの１５インチの表示画面ｍ１と判断し、一つ目の画面サイズセンサーｓ１の検出位置と検査画像ａの表示位置とが重合するデフォルトの検査映像信号を出力して、定位置に固定された画像センサーｇｓで検査画像ａの表示の有無を検出する。
【００２５】
コンピュータ４は、画像センサーｇｓによる検出結果を取り込み、その検出結果によって当該画像表示装置の良否を判断し、不良品を排除するなどの所要の行程に進む。
【００２６】
そして、次に１７インチの表示画面ｍ２を有した画像表示装置が、検出ステーションに搬送されてきた場合、二つ目の画面サイズセンサーｓ２が表示画面ｍ２の縁部を検出（と同時に一つ目の画面サイズセンサーｓ１も検出）して、センサケーブル、インターフェース１等を介して検査映像出力手段２である信号発生器に検出信号を送信する。
【００２７】
検査映像出力手段２は、一つ目の画面サイズセンサーｓ１と二つ目の画面サイズセンサーｓ２が物体の存在を検出したことから１７インチの表示画面ｍ２と判断し、デフォルトの検査映像信号では、図１に示すように、表示画像が画面右上Ｘ１，Ｙ１分だけ位置ずれしてしまうために、その位置ずれ量Ｘ１，Ｙ１分画面左下に表示画像が移動する検査映像信号を出力し、定位置に固定された画像センサーｇｓで検査画像ａの表示の有無を検出する。
そして、コンピュータ４は、画像センサーｇｓによる検出結果を取り込み、その検出結果によって当該画像表示装置の良否を判断し、不良品を排除するなどの所要の行程に進む。
【００２８】
次に１９インチの表示画面ｍ３を有した画像表示装置が、検出ステーションに搬送されてきた場合、三つ目の画面サイズセンサーｓ３が表示画面ｍ３の縁部を検出（と同時に一つ目、二つ目の画面サイズセンサー、ｓ１ｓ２も検出）して、センサケーブル、インターフェース１等を介して検査映像出力手段２である信号発生器に検出信号を送信する。
【００２９】
検査映像出力手段２は、すべての画面サイズセンサーｓ１…が物体の存在を検出したことから１９インチの表示画面ｍ３と判断し、デフォルトの検査映像信号によって生じる位置ずれ量Ｘ２，Ｙ２分だけ画面左下に表示画像を移動する検査映像信号を出力し、定位置に固定された画像センサーｇｓで検査画像ａの表示の有無を検出する。
そして、コンピュータ４は、画像センサーｇｓによる検出結果を取り込み、その検出結果によって当該画像表示装置の良否を判断し、不良品を排除するなどの所要の行程に進む。
【００３０】
このように本実施の形態にかかる画面検査装置は、画面サイズセンサーｓ１…の検出に基づいて、画像センサーｇｓの検出位置と検査画像ａの表示位置とが重合するように検査映像信号を切り換えることにより、画像表示装置の表示画面ｍ１…のサイズが異なっても、画像センサーｇｓの取付位置をその都度調整することなく、自動的な検査が可能になっている。
【００３１】
なお、表示画面ｍ１…のサイズを画面サイズセンサーｓ１…で検出する画面サイズ検出行程と、前記画面サイズセンサーｓ１…の検出に基づいて、画像センサーｇｓの検出位置と検査画像ａの表示位置とが重合するように、検査画像ａを表示させる検査映像信号を切り換える検査映像信号切換行程とを有している画面検査方法でも良い。
【００３２】
また、本実施の形態では表示画面ｍ１…のサイズを３種類としているが、これに限定されることはなく、複数の任意の表示画面サイズに対応できる。また、画像サイズセンサーは夫々の表示画面ｍ１…の縁部を検出位置としているが、他の表示画面と重ならない位置であれば、どこに設けても良い。
【００３３】
以上、具体的な実施の形態について説明したが、本発明は上記実施の形態に限定されず、発明の要旨を変更しない範囲で適宜変更して実施できることは言うまでもない。
【図面の簡単な説明】
【００３４】
【図１】本実施の形態にかかる画面検査装置の概略を示した模式図である。
【符号の説明】
【００３５】
ｇｓ  画像センサー
ｓ１…  画面サイズセンサー
ａ  検査画像
ｍ１…  表示画面
１  インターフェース（画面サイズセンサーの）
２  検査映像出力手段
２１  検査映像信号送信用ケーブル
３  インターフェース（画像センサーの）
３１  カメラケーブル
４  コンピュータ
５  ストッパ
【図１】
2006214849.tif 000003